(57)【要約】【課題】中継器ノードが記憶した設定情報や履歴情報を、設定装置を使用して無線通信により収集し、また、収集した設定情報を編集して当該中継器ノードに無線通信により送信することで再登録する無線防災システムを提供する。【解決手段】無線防災システムは、無線式感知器１４、Ｐ型受信機１０、及び無線式感知器１４からＰ型受信機１０への通信を中継する受信用中継器１２を備える。受信用中継器１２は、感知器回線１６を介してＰ型受信機１０に接続され、電源線１８を介して電源供給される。設定装置２０は、係員により携帯して使用され、受信用中継器１２と無線通信するチャンネル周波数を選択し、受信用中継器１２に記憶された設定情報や履歴情報を無線通信により収集し、収集した設定情報を編集して受信用中継器１２に無線通信により送信することで再登録する。【選択図】図１
2020129405.tif 000002
【特許請求の範囲】
【請求項１】
無線式のセンサノードと、受信機と、感知器回線を介して前記受信機に接続され前記センサノードから前記受信機への通信を中継する中継器ノードとを備えた無線防災システムであって、
前記中継器ノードは、係員により携帯して使用される設定装置に対し、自己に記憶した設定情報を無線通信により送信することを特徴とする無線防災システム。
【請求項２】
無線式のセンサノードと、受信機と、感知器回線を介して前記受信機に接続され前記センサノードから前記受信機への通信を中継する中継器ノードとを備えた無線防災システムであって、
前記中継器ノードは、係員により携帯して使用される設定装置に対し、自己に記憶した履歴情報を無線通信により送信することを特徴とする無線防災システム。
【請求項３】
無線式のセンサノードと、受信機と、感知器回線を介して前記受信機に接続され前記センサノードから前記受信機への通信を中継する中継器ノードとを備えた無線防災システムの設定装置であって、
係員により携帯して使用され、前記中継器ノードに記憶された設定情報を無線通信により収集することを特徴とする設定装置。
【請求項４】
無線式のセンサノードと、受信機と、感知器回線を介して前記受信機に接続され前記センサノードから前記受信機への通信を中継する中継器ノードとを備えた無線防災システムの設定装置であって、
係員により携帯して使用され、前記中継器ノードに記憶された履歴情報を無線通信により収集することを特徴とする設定装置。
【請求項５】
無線式のセンサノードと、受信機と、感知器回線を介して前記受信機に接続され前記センサノードから前記受信機への通信を中継する中継器ノードとを備えた無線防災システムの設定装置であって、
係員により携帯して使用され、前記センサノード及び前記中継器ノードの少なくとも一方のＩＤ情報を無線通信により取得することを特徴とする設定装置。
【請求項６】
無線式のセンサノードと、受信機と、感知器回線を介して前記受信機に接続され前記センサノードから前記受信機への通信を中継する中継器ノードとを備えた無線防災システムの設定装置であって、
係員により携帯して使用され、前記中継器ノードと無線通信するチャンネル周波数を選択可能であることを特徴とする設定装置。
【請求項７】
無線式のセンサノードと、受信機と、感知器回線を介して前記受信機に接続され前記センサノードから前記受信機への通信を中継する中継器ノードとを備えた無線防災システムの設定装置であって、
係員により携帯して使用され、前記中継器ノードに記憶された設定情報を無線通信により収集し、当該設定情報を編集して当該中継器ノードに無線通信により送信することで再登録することを特徴とする設定装置。
【請求項８】
無線式のセンサノードと、受信機と、感知器回線を介して前記受信機に接続され前記センサノードから前記受信機への通信を中継する中継器ノードとを備えた無線防災システムの設定装置であって、
係員により携帯して使用され、前記無線防災システムの運用中の、前記中継器ノードの受信状況履歴及び前記中継器ノードと前記センサノードとの無線通信の電波強度の少なくとも一方を無線通信により収集することを特徴とする設定装置。
【請求項９】
無線式のセンサノードと、受信機と、電源線を介して電源供給され前記センサノードから前記受信機への通信を中継する中継器ノードとを備えた無線防災システムであって、
前記中継器ノードは、係員により携帯して使用される設定装置に対し、自己に記憶した設定情報を無線通信により送信することを特徴とする無線防災システム。
【請求項１０】
無線式のセンサノードと、受信機と、電源線を介して電源供給され前記センサノードから前記受信機への通信を中継する中継器ノードとを備えた無線防災システムであって、
前記中継器ノードは、係員により携帯して使用される設定装置に対し、自己に記憶した履歴情報を無線通信により送信することを特徴とする無線防災システム。
【請求項１１】
無線式のセンサノードと、受信機と、電源線を介して電源供給され前記センサノードから前記受信機への通信を中継する中継器ノードとを備えた無線防災システムの設定装置であって、
係員により携帯して使用され、前記中継器ノードに記憶された設定情報を無線通信により収集することを特徴とする設定装置。
【請求項１２】
無線式のセンサノードと、受信機と、電源線を介して電源供給され前記センサノードから前記受信機への通信を中継する中継器ノードとを備えた無線防災システムの設定装置であって、
係員により携帯して使用され、前記中継器ノードに記憶された履歴情報を無線通信により収集することを特徴とする設定装置。
【請求項１３】
無線式のセンサノードと、受信機と、電源線を介して電源供給され前記センサノードから前記受信機への通信を中継する中継器ノードとを備えた無線防災システムの設定装置であって、
係員により携帯して使用され、前記センサノード及び前記中継器ノードの少なくとも一方のＩＤ情報を無線通信により取得することを特徴とする設定装置。
【請求項１４】
無線式のセンサノードと、受信機と、電源線を介して電源供給され前記センサノードから前記受信機への通信を中継する中継器ノードとを備えた無線防災システムの設定装置であって、
係員により携帯して使用され、前記中継器ノードと無線通信するチャンネル周波数を選択可能であることを特徴とする設定装置。
【請求項１５】
無線式のセンサノードと、受信機と、電源線を介して電源供給され前記センサノードから前記受信機への通信を中継する中継器ノードとを備えた無線防災システムの設定装置であって、
係員により携帯して使用され、前記中継器ノードに記憶された設定情報を無線通信により収集し、当該設定情報を編集して当該中継器ノードに無線通信により送信することで再登録することを特徴とする設定装置。
【請求項１６】
無線式のセンサノードと、受信機と、電源線を介して電源供給され前記センサノードから前記受信機への通信を中継する中継器ノードとを備えた無線防災システムの設定装置であって、
係員により携帯して使用され、前記無線防災システムの運用中の、前記中継器ノードの受信状況履歴及び前記中継器ノードと前記センサノードとの無線通信の電波強度の少なくとも一方を無線通信により収集することを特徴とする設定装置。
【請求項１７】
請求項１乃至１６の何れかに記載の設定装置に於いて、少なくとも前記中継器ノードと無線通信し、前記受信機とは無線通信しないことを特徴とする設定装置。
【発明の詳細な説明】
【技術分野】
【０００１】
本発明は、無線式感知器などのセンサノードから無線送信された電文を中継器ノードを経由して受信機に伝送して警報させる無線防災システム及びその設定装置に関する。
【背景技術】
【０００２】
従来、火災を監視する無線式の防災監視システムにあっては、ビルの各フロアや共同住宅の占有部といった警戒区域にセンサノードとして機能する複数の無線式感知器を設置し、無線式感知器で火災を検出した場合に、火災を示す電文をフロア単位に設置した中継器ノードとして機能する受信用中継器に無線送信する。また、必要に応じて電波中継器を設置し、無線式感知器からの電文を電波中継器により中継して受信用中継器に送信している。
【０００３】
受信用中継器は受信機からの感知器回線に接続されており、火災を示す電文を受信すると、リレー接点やスイッチング素子のオンにより感知器回線に発報電流を流して火災発報信号を受信機に送信する。受信機は、この火災発報信号を受信すると、音響及び表示等の手段により火災警報を出す。
【０００４】
このような無線防災システムによれば、一般的に天井裏等に敷設される感知器回線の一部を不要にでき、配線工事が簡単になり、感知器の設置場所も配線等の制約を受けずに決めることができる。また、感知器増設等のシステム変更にも容易に対応できる。
【０００５】
ところで、従来の無線防災システムにあっては、無線式感知器及び受信用中継器には製造段階で固有のノードＩＤ（機器ＩＤ）を固定的に記憶しており、一方、同じ階等に設置した受信用中継器と複数の無線式感知器の親子関係に基づき、受信用中継器の子ノードとなる無線式感知器にシステム上で使用するアドレスを予め割り当て、システムの運用に先立ち、受信用中継器と親子関係にある複数の無線式感知器のノードＩＤを、ノードＩＤとアドレスの組合せを受信用中継器に登録するようにしている。
【０００６】
この受信用中継器に対する無線式感知器のノードＩＤの登録は、受信用中継器及び無線式感知器の操作により登録モードを設定して行う。登録モードを設定した受信用中継器は、管理テーブル上の無線式感知器のアドレスを指定して登録待ちの状態となり、この状態で無線式感知器に登録モードを設定すると、無線式感知器はＩＤ登録用の電文を送信し、受信用中継器は無線式感知器が送信した登録用の電文を受信すると、受信した電文に含まれる送信元ＩＤを取り出して、管理テーブルにノードＩＤとして登録し、これを親子関係にある全ての無線式感知器について繰り返すことで、アドレスとノードＩＤの対応関係を自動的に登録している。
【０００７】
これにより受信用中継器は、無線式感知器から電文を受信した際に、電文に含まれる送信元ＩＤと予め登録したノードＩＤとを比較し、例えば両者が一致したときに有効な電文として処理するようにしている。
【先行技術文献】
【特許文献】
【０００８】
【特許文献１】特開２００８−００４０３３号公報
【特許文献２】特開２０１０−１１４６３２号公報
【特許文献３】特開２０１３−００９１４９号公報
【発明の概要】
【発明が解決しようとする課題】
【０００９】
ところで、従来の受信用中継器にあっては、設置現場に合せて使用する受信用アンテナを交換可能とするためにアンテナ端子を設け、アンテナ端子に同軸ケーブルを介して受信用アンテナを接続しており、電波法により受信用アンテナを利用して送信を行うことができず、受信専用となっている。しかしながら、近年における電波法の改正により、アンテナ端子に着脱自在なアンテナについても送信を行うことが可能となり、そのため受信用中継器に送受信機能を設けることが可能となっている。
【００１０】
このように受信用中継器に送受信機能を設けることができた場合には、防災監視システムの運用開始時またはシステム運用中に、ＩＤが分かっていない複数の受信用中継器を対象に、設定装置を使用して無線により、受信用中継器に登録している例えばセンサノードとアドレスとの対応関係を読み出して確認し、必要に応じて追加、変更、削除を含む編集操作を行うことが望まれる。
【００１１】
しかしながら、設定装置から受信用中継器のＩＤの指定なしで読出し命令等の電文を送信した場合、送信電波を有効受信する範囲にある全ての受信用中継器が応答し、応答のための通信タイミングが重なると、通信が成立しない場合がある。例えば、全ての電波が衝突により受信不可となるか、或いは、電波の最も強い電波の受信用中継器からの電文のみを有効に受信し、それより弱い電波の受信用中継器からの電文は受信できないといった状況に陥る。
【００１２】
また、このようにＩＤの指定なしで受信用中継器に書込み命令の電文を送信してデータ書込みを行うことは、複数の受信用中継器での電文の受信が想定される場合には、書込み先が特定できないため、データ書込みを行うことは危険である。
【００１３】
本発明は、電波が届く範囲にある中継器ノードのＩＤを、設定装置を使用して無線により取得し、ＩＤを指定したデータの読出しと書込みを行うことを可能にする無線防災システム及びその設定装置を提供することを目的とする。
【課題を解決するための手段】
【００１４】
（無線防災システム１：設定情報）
本発明は、無線式のセンサノードと、受信機と、感知器回線を介して受信機に接続されセンサノードから受信機への通信を中継する中継器ノードとを備えた無線防災システムであって、
中継器ノードは、係員により携帯して使用される設定装置に対し、自己に記憶した設定情報を無線通信により送信することを特徴とする。
【００１５】
（無線防災システム２：履歴情報）
本発明は、無線式のセンサノードと、受信機と、感知器回線を介して受信機に接続されセンサノードから受信機への通信を中継する中継器ノードとを備えた無線防災システムであって、
中継器ノードは、係員により携帯して使用される設定装置に対し、自己に記憶した履歴情報を無線通信により送信することを特徴とする。
【００１６】
（設定装置１：設定情報）
本発明は、無線式のセンサノードと、受信機と、感知器回線を介して受信機に接続されセンサノードから受信機への通信を中継する中継器ノードとを備えた無線防災システムの設定装置であって、
係員により携帯して使用され、中継器ノードに記憶された設定情報を無線通信により収集することを特徴とする。
【００１７】
（設定装置２：履歴情報）
本発明は、無線式のセンサノードと、受信機と、感知器回線を介して受信機に接続されセンサノードから受信機への通信を中継する中継器ノードとを備えた無線防災システムの設定装置であって、
係員により携帯して使用され、中継器ノードに記憶された履歴情報を無線通信により収集することを特徴とする。
【００１８】
（設定装置３：ＩＤ情報）
本発明は、無線式のセンサノードと、受信機と、感知器回線を介して受信機に接続されセンサノードから受信機への通信を中継する中継器ノードとを備えた無線防災システムの設定装置であって、
係員により携帯して使用され、センサノード及び中継器ノードの少なくとも一方のＩＤ情報を無線通信により取得することを特徴とする。
【００１９】
（設定装置４：チャンネル周波数）
本発明は、無線式のセンサノードと、受信機と、感知器回線を介して受信機に接続されセンサノードから受信機への通信を中継する中継器ノードとを備えた無線防災システムの設定装置であって、
係員により携帯して使用され、中継器ノードと無線通信するチャンネル周波数を選択可能であることを特徴とする。
【００２０】
（設定装置５：設定情報）
本発明は、無線式のセンサノードと、受信機と、感知器回線を介して受信機に接続されセンサノードから受信機への通信を中継する中継器ノードとを備えた無線防災システムの設定装置であって、
係員により携帯して使用され、中継器ノードに記憶された設定情報を無線通信により収集し、当該設定情報を編集して当該中継器ノードに無線通信により送信することで再登録することを特徴とする。
【００２１】
（設定装置６：設定情報）
本発明は、無線式のセンサノードと、受信機と、感知器回線を介して受信機に接続されセンサノードから受信機への通信を中継する中継器ノードとを備えた無線防災システムの設定装置であって、
係員により携帯して使用され、無線防災システムの運用中の、中継器ノードの受信状況履歴及び中継器ノードとセンサノードとの無線通信の電波強度の少なくとも一方を無線通信により収集することを特徴とする。
【００２２】
（無線防災システム３：設定情報）
本発明は、無線式のセンサノードと、受信機と、電源線を介して電源供給されセンサノードから受信機への通信を中継する中継器ノードとを備えた無線防災システムであって、
中継器ノードは、係員により携帯して使用される設定装置に対し、自己に記憶した設定情報を無線通信により送信することを特徴とする。
【００２３】
（無線防災システム４：履歴情報）
本発明は、無線式のセンサノードと、受信機と、電源線を介して電源供給されセンサノードから受信機への通信を中継する中継器ノードとを備えた無線防災システムであって、
中継器ノードは、係員により携帯して使用される設定装置に対し、自己に記憶した履歴情報を無線通信により送信することを特徴とする。
【００２４】
（設定装置７：設定情報）
本発明は、無線式のセンサノードと、受信機と、電源線を介して電源供給されセンサノードから受信機への通信を中継する中継器ノードとを備えた無線防災システムの設定装置であって、
係員により携帯して使用され、中継器ノードに記憶された設定情報を無線通信により収集することを特徴とする。
【００２５】
（設定装置８：履歴情報）
本発明は、無線式のセンサノードと、受信機と、電源線を介して電源供給されセンサノードから受信機への通信を中継する中継器ノードとを備えた無線防災システムの設定装置であって、
係員により携帯して使用され、中継器ノードに記憶された履歴情報を無線通信により収集することを特徴とする。
【００２６】
（設定装置９：ＩＤ情報）
本発明は、無線式のセンサノードと、受信機と、電源線を介して電源供給されセンサノードから受信機への通信を中継する中継器ノードとを備えた無線防災システムの設定装置であって、
係員により携帯して使用され、センサノード及び中継器ノードの少なくとも一方のＩＤ情報を無線通信により取得することを特徴とする。
【００２７】
（設定装置１０：チャンネル周波数）
本発明は、無線式のセンサノードと、受信機と、電源線を介して電源供給されセンサノードから受信機への通信を中継する中継器ノードとを備えた無線防災システムの設定装置であって、
係員により携帯して使用され、中継器ノードと無線通信するチャンネル周波数を選択可能であることを特徴とする。
【００２８】
（設定装置１１：設定情報）
本発明は、無線式のセンサノードと、受信機と、電源線を介して電源供給されセンサノードから受信機への通信を中継する中継器ノードとを備えた無線防災システムの設定装置であって、
係員により携帯して使用され、中継器ノードに記憶された設定情報を無線通信により収集し、当該設定情報を編集して当該中継器ノードに無線通信により送信することで再登録することを特徴とする。
【００２９】
（設定装置１２：設定情報）
本発明は、無線式のセンサノードと、受信機と、電源線を介して電源供給されセンサノードから受信機への通信を中継する中継器ノードとを備えた無線防災システムの設定装置であって、
係員により携帯して使用され、無線防災システムの運用中の、中継器ノードの受信状況履歴及び中継器ノードとセンサノードとの無線通信の電波強度の少なくとも一方を無線通信により収集することを特徴とする。
【００３０】
本発明による設定装置は、少なくとも中継器ノードと無線通信し、受信機とは無線通信しない。
【発明の効果】
【００３１】
（無線防災システム１の効果）
本発明は、１又は複数のセンサノード、中継器ノード及び受信機で構成され、センサノードから無線送信された電文を中継器ノードで受信して処理し、処理結果を信号線により接続された受信機に送信し、更に中継器ノードのＩＤを指定して情報の読出しと書込みを行う設定装置を設けた無線防災システムに於いて、設定装置は、所定の初期値から段階的に減少する所定の応答受信強度を設定したＩＤ指定なしの呼出電文を中継器ノードに順次送信し、呼出電文に対する中継器ノードから応答電文を受信した場合に、当該応答電文に含まれる中継器ノードのＩＤを取得して登録すると共に、登録したＩＤを指定したスリープ要求電文を中継器ノードに送信し、中継器ノードのＩＤ登録を終了した場合に復旧電文を中継器ノードに送信する設定制御部を備え、中継器ノードは、設定装置から呼出電文を受信した場合の受信強度が呼出電文で指定した応答受信強度以上の場合に自己のＩＤを含む応答電文を設定装置に送信し、応答電文の送信後に設定装置からスリープ要求電文を受信した場合に電文送信動作を休止し、電文送信動作の休止中に設定装置から復旧電文を受信した場合に休止を解除する中継制御部を備えるようにしたため、設定装置からの電波が届く範囲にある中継器ノードは、ＩＤ指定のない呼出電文を受信した場合、呼出電文で指定した受信強度以上の場合にのみ応答電文を送信し、設定装置から中継器ノードの設置場所までの距離は各々異なることから、呼出電文で指定する応答受信強度を段階的に減少させることで、距離の近い中継器ノードから順番に応答電文を送信することとなり、複数の中継器ノードの送信タイミングが重ならず、中継器ノード単位に受信した応答電文からＩＤを取得して登録することができる。
【００３２】
また、応答電文を送信した中継器ノードに対しては設定装置からＩＤを指定したスリープ要求電文を送信してその後の呼出電文に対する送信動作を休止させることで、応答受信高度を段階的に減少させても、複数の中継器ノードから応答電文が送信されることを回避し、距離の近い中継器ノードから順番に応答電文を送信することを可能とする。
【００３３】
更に、設定装置からの電波の届く範囲ある全ての中継器ノードのＩＤ登録が終了した場合に復旧電文を送信することで、スリープ要求電文の受信による送信動作の休止を解除して通常の運用状態に戻すことを可能とする。
【００３４】
（無線防災システム２の効果）
本発明は、１又は複数のセンサノード、中継器ノード及び受信機で構成され、センサノードから無線送信された電文を中継器ノードで受信して処理し、処理結果を信号線により接続された受信機に送信し、更に中継器ノードのＩＤを指定して情報の読出しと書込みを行う設定装置を設けた無線防災システムに於いて、設定装置は、初期設定したチャンネル周波数によりＩＤ指定なしの呼出電文を中継器ノードに送信し、チャンネル周波数を所定の周波数範囲で変化させる周波数スイープにより呼出電文に対する中継器ノードからの応答電文を受信した場合に、当該応答電文に含まれる中継器ノードのＩＤを取得して登録し、中継器ノードのＩＤ登録を終了した場合にチャンネル周波数の周波数スイープにより復旧電文を送信する設定制御部を備え、中継器ノードは、初期設定したチャンネル周波数により設定装置からの呼出電文を受信した場合に、自己のＩＤに対応する所定の応答チャンネル周波数により自己のＩＤを含む応答電文を設定装置に送信し、応答チャンネル周波数による復旧電文を受信した場合にチャンネル周波数を初期設定に戻す中継制御部を備えるようにしたため、設定装置からの電波が届く範囲にある中継器ノードは、ＩＤ指定のない呼出電文を受信した場合、自己のＩＤに対応した相互に異なるチャンネル周波数を使用して応答電文を送信し、設定装置はチャンネル周波数を順次切り替える周波数スイープにより異なる中継器ノードからの応答電文を個別に受信し、複数の中継器ノードの送信タイミングが重なってもチャンネル周波数が異なることで、中継器ノード単位に受信した応答電文からＩＤを取得して登録することができる。
【００３５】
また、設定装置からの電波の届く範囲ある全ての中継器ノードのＩＤ登録が終了した場合に復旧電文を送信することで、チャンネル周波数を初期設定に戻して通常の運用状態に戻すことを可能とする。
【００３６】
（登録ＩＤの終了操作による復旧電文送信の効果）
設定装置の設定制御部は、中継器ノードのＩＤを取得して登録する毎に表示部に登録ＩＤを表示して登録終了を確認可能とし、操作部によるＩＤ登録終了操作の受付けを検出した場合に復旧電文を送信するようにしたため、設定装置から電波の届く範囲にある中継器ノードの数は不明であるが、表示部に対する登録ＩＤの表示が停止することで、電波の届く範囲にある中継器ノードのＩＤ登録の終了を認識でき、これにより復旧操作を行うことで、復旧電文を中継器ノードに送信して通常の運用状態に戻すことを可能とする。
【００３７】
（アドレスとノードＩＤの対応関係の確認による効果）
また、中継器ノードの中継制御部は、予め割り当てられたセンサノードのノードＩＤとアドレスとの対応関係を登録しており、設定装置の設定制御部は、登録したＩＤにより指定した中継器ノードのセンサノードＩＤとアドレスの対応関係を読み出して表示するようにしたため、中継器ノードとセンサノードを操作したセンサノードＩＤとアドレスの対応関係を中継器ノードに自動登録した場合、正しく登録されているかどうかの確認を設定装置に読出し表示して簡単且つ容易に行うことを可能とする。
【００３８】
（アドレスとノードＩＤの対応関係の編集による効果）
また、中継器ノードの中継制御部は、予め割り当てられたセンサノードのノードＩＤとアドレスとの対応関係を登録しており、設定装置の設定制御部は、登録したＩＤにより指定した中継器ノードのセンサノードＩＤとアドレスの対応関係の追加、変更、又は削除を含む編集操作を受け付けて処理し、編集結果を中継器ノードに送信して登録させるようにしたため、設定装置からの電波の届く範囲にある中継器ノードのＩＤを登録した後に、例えばシステム運用中に中継器ノードが故障して交換した場合、システムの運用開始時に設定装置で故障前の中継器ノードから読み出したセンサノードのノードＩＤとアドレスの対応関係をサーバ等に保存しておき、これを設定装置に読み込んだ後に、交換した中継器ノードの設定装置を近づけて書込んで登録することで、センサノードを設置している共同住宅の占有部に入ることなく、簡単且つ容易に交換した中継器ノードに対するセンサノードＩＤとアドレスの対応関係を登録して動作可能とする。
【００３９】
また、複数の中継器ノードにおいて、センサノードの割当てを必要に応じて変更するような場合、中継器ノードからセンサノードのノードＩＤとアドレスの対応関係を読み出して、割当て変更に基づきノードＩＤを書き換える編集操作を行って編集結果を中継器ノードに書込んで再登録することで、同様に、センサノードを設置している共同住宅の占有部に入ることなく、中継器ノードに対するセンサノードの割当変更に対処可能とする。
【００４０】
（履歴ログ）
また、中継器ノードの中継制御部は、センサノードからの電文受信と電波強度、電文の処理結果の受信機への送信を含む履歴情報を記憶し、設定装置の設定制御部は、登録したＩＤにより指定した中継器ノードの履歴情報を読み出して処理するようにしたため、システム運用中における中継器ノードの受信状況等の履歴情報や電波強度等を簡単に収集して通信環境の解析等に活用可能とする。
【図面の簡単な説明】
【００４１】
【図１】本発明による無線防災システムの概要を示した説明図
【図２】無線式感知器の機能構成を示したブロック図
【図３】受信用中継器の機能構成を示したブロック図
【図４】設定装置の機能構成を示したブロック図
【図５】設定装置から応答受信強度を設定したＩＤ指定なし呼出電文により受信用中継器のＩＤを取得して登録する動作を示したタイムチャート
【図６】受信用中継器のＩＤとチャンネル周波数の対応関係を一覧で示した説明図
【図７】設定装置からＩＤ指定なし呼出電文により受信用中継器のＩＤに対応したチャンネル周波数による応答電文からＩＤを取得して登録する動作を示したタイムチャート
【発明を実施するための形態】
【００４２】
［無線防災システム］
（システムの概要）
図１は本発明による無線防災システムの概要を示した説明図である。図１において、監視対象となる建物１１の１Ｆ〜３Ｆの各階には中継器ノードとして機能する受信用中継器１２−１〜１２−３を設置し、火災受信機であるＰ型受信機１０から階別に引き出した感知器回線１６及び共通の電源線１８に接続している。
【００４３】
１Ｆ〜３Ｆの各階には、センサノードとして機能する無線式感知器１４−１１．１４−１２、１４−２１，１４−２２、及び１４−３１，１４−３２を設置している。
【００４４】
以下の説明で受信用中継器１２−１〜１２−３及び無線式感知器１４−１１〜１４−３２を区別する必要がない場合は、受信用中継器１２及び無線式感知器１４とする。なお、受信用中継器１２に対し、距離が離れている無線式感知器１４からの電波の減衰による信号の不到達を防ぐために電波中継器を設置する場合がある。
【００４５】
受信用中継器１２−１〜１２−３及び無線式感知器１４−１１〜１４−３２のそれぞれには、機器ＩＤを使用した固有のノードＩＤを予め登録（記憶）している。
【００４６】
無線式感知器１４は火災による煙濃度または温度が所定の閾値を超えた場合に火災イベントの発生と判断し、火災を示す電文信号（以下、単に「電文」という）を間欠的に無線送信する。
【００４７】
１Ｆの受信用中継器１２−１には、親子関係に基づいて電文を受信する子ノードとしての送信元である無線式感知器１４−１１，１４−１２を特定するノードＩＤとシステム上で予め割り当てたアドレスとの対応関係を例えばメモリにテーブル情報として予め登録している。
【００４８】
この点は２Ｆ及び３Ｆの受信用中継器１２−２，１２−３も同様であり、受信用中継器１２−２には無線式感知器１４−２１，１４−２２のノードＩＤとアドレスとの対応関係をテーブル情報として予め登録し、受信用中継器１２−３には無線式感知器１４−３１，１４−３２のノードＩＤとアドレスとの対応関係をテーブル情報として予め登録している。なお、電波中継器を設けた場合には、電波中継器のノードＩＤとアドレスの対応関係を管理テーブルに登録している。
【００４９】
このような受信用中継器１２に対するアドレスとノードＩＤの登録により、電文を受信した際には、電文に含まれる送信元ＩＤと予め登録したノードＩＤとを比較し、例えば両者が一致したときに有効な電文として処理することになる。
【００５０】
また、無線式感知器１４と受信用中継器１２との間の無線通信は、日本国内の場合には例えば４００ＭＨｚ帯の特定小電力無線局の標準規格に従った無線通信を行っており、４２６．２５００ＭＨｚ〜４２６．８３７５ＭＨｚの１２．５ＫＨｚの帯域を持つ４８チャンネルの何れかの使用を可能とする。
【００５１】
そこで、受信用中継器１２と無線式感知器１４には、４００ＭＨｚ帯の特定小電力無線局標準規格で使用可能な４８チャンネルの何れか１つを選択して使用するチャンネル周波数を設定する。この場合、チャンネル周波数は各階で同じにしても良いし、混信を避けるために例えば隣接する階では異なるチャンネル周波数を使用しても良い。
【００５２】
（受信用中継器の送信機能と設定装置の概要）
受信用中継器１２はアンテナ端子４２を持ち、アンテナ端子４２に同軸ケーブルを介して送受信用のアンテナ４０を接続しており、設置場所に合せて使用するアンテナ４０を交換可能としている。
【００５３】
設定装置２０は、液晶ディスプレイ等の表示部と、操作キー等を備えた操作部を設けており、受信用中継器１２と設定装置２０との間に無線回線による通信接続を確立し、設定装置２０は受信用中継器１２に対し情報を読み書きするリーダ／ライタとして機能し、設定装置２０からの電波の届く範囲ある受信用中継装置との間で、ＩＤの取得による登録、各種の情報の読出しや書込みを可能とする。
【００５４】
［無線式感知器］
（無線式感知器の機能構成）
図２は無線式感知器の機能構成を示したブロック図である。図２に示すように、センサノードとして機能する無線式感知器１４は、感知器制御部２２、アンテナ２６を接続した無線通信部２４、センサ部２８、表示部３０、操作部３２及び電池電源３４を備える。
【００５５】
感知器制御部２２はＣＰＵ、メモリ、各種の入出力ポート等を備えたコンピュータ回路等とする。無線通信部２４は、日本国内の場合には、例えば４００ＭＨｚ帯の特定小電力無線局の標準規格に準拠して電文を間欠的に送信する。
【００５６】
無線通信部２４で送信する電文の形式は、プリアンブル（位相修正データ）、送信元ＩＤ、電文種別、煙濃度や温度などのデータ及びエラーチェックコードで構成する。この内、電文種別は、例えばセンサ状態を示す電文、定期通報を示す電文などを表す。送信元ＩＤは電文送信元となる無線式感知器のＩＤであり、例えば１００万台規模の無線式感知器の識別を想定した場合、５０〜６０ビット長のデータとなる。
【００５７】
センサ部２８は、例えば散乱光式の煙検出機構によって煙を検出して煙濃度に応じた煙検出信号を出力する。感知器制御部２２はこれに基づき火災を検出する。なお、センサ部２８にサーミスタ等の温度検出素子を設け、温度検出信号を感知器制御部２２へ出力して、これに基づき火災を検出するようにしても良い。表示部３０は火災を検出した場合に点灯する発報表示灯等を備える。操作部３２は登録スイッチや試験スイッチ等を備える。
【００５８】
感知器制御部２２は、コンピュータ回路によりプログラムの実行により実現される機能であり、次の制御を行う。
【００５９】
感知器制御部２２は、操作部３２に設けた登録スイッチの操作を検出した場合、ＩＤ登録用の起動電文を生成し、無線通信部２４に指示して受信用中継器１２に送信させる制御を行い、この起動電文を受信した受信用中継器１２にアドレスとノードＩＤの対応関係を登録させる。
【００６０】
また、感知器制御部２２は、センサ部２８から出力される例えば煙濃度検出信号が所定の火災閾値を超えた場合に火災を示す電文を生成し、無線通信部２４に指示して受信用中継器１２に送信させる制御を行う。この場合の電文送信は、所定の電文送信時間に亘り同一の電文信号を連続送信する電文送信と、所定時間に亘り電文送信を休止する電文休止とを複数回繰り返す。
【００６１】
また、感知器制御部２２は、火災復旧、障害、試験といったイベントを検出した場合にも、検出したイベント内容を示す電文を生成し、無線通信部２４に指示して受信用中継器１２に送信させる制御を行う。
【００６２】
［受信用中継器］
（受信用中継器の機能構成）
図３は受信用中継器の機能構成を示したブロック図である。図３に示すように、中継器ノードとして機能する受信用中継器１２は、中継制御部３６、アンテナ端子４２に同軸ケーブルを介して着脱自在に接続した送受信用のアンテナ４０を使用する無線通信部３８、受信強度検出部４５、操作部４４、表示部４６、回線通信部４８及び電源部５０を備える。
【００６３】
中継制御部３６はＣＰＵ、メモリ、各種の入出力ポート等を備えたコンピュータ回路等とする。無線通信部３８は、日本国内の場合には、例えば４００ＭＨｚ帯の特定小電力無線局の標準規格に準拠して無線式感知器１４からの電文を受信すると共に設定装置２０との間で電文を送受信する。また、無線通信部３８はアンテナ端子４２を持ち、設置場所に応じてアンテナ４０を交換可能としている。
【００６４】
無線通信部３８で無線式感知器１４から受信する電文の形式は、前述したようにプリアンブル、送信元ＩＤ、通信種別、データ及びエラーチェックコードで構成する。
【００６５】
また、無線通信部３８で設定装置２０との間で送受信する電文の形式は、プリアンブル、送信元ＩＤ、送信先ＩＤ、コマンド、データ及びエラーチェックコードで構成する。
【００６６】
受信強度検出部４５は無線通信部３８で受信した電波の受信強度を検出して受信強度検出信号を中継制御部３６に出力する。
【００６７】
操作部４４は、登録スイッチやアドレス設定用のディップスイッチ等を備え、中継制御を必要な各種の設定を行う。表示部４６には、設定したチャンネル周波数を示す表示器、電源灯、発報表示灯、障害灯等の各種の表示灯を設けている。
【００６８】
回線通信部４８は、中継制御部３６の指示に基づき、火災発報を示す電文を受信した場合は、Ｐ型受信機１０からの感知回線１６に発報電流を流して火災発報信号を送信して火災警報を出力させ、また、障害を検出した場合は、感知回線１６を切離して疑似的な断線状態を作り出すことで、Ｐ型受信機１０側で障害警報を出力させる。
【００６９】
中継制御部３６は、コンピュータ回路によりプログラムの実行により実現される機能であり、次の制御を行う。
【００７０】
中継制御部３６は、操作部４４のディップスイッチの操作によりノードＩＤ未登録の登録アドレスを表示部４６に表示した状態で、登録スイッチによる登録操作の受付けを検出すると登録待ち状態を設定し、この状態で無線通信部３８を介して無線式感知器１４から送信されたＩＤ登録用の起動電文を受信すると、起動電文に含まれている送信元ＩＤを取出し、未登録アドレスに対応した無線式感知器１４のノードＩＤとして登録したテーブル情報を生成する制御を行う。
【００７１】
また、中継制御部３６は、無線通信部３８を介して割当先の無線式感知器１４から火災電文を受信した場合、回線通信部４８に指示して感知器回線１６に発報電流を流して火災発報信号をＰ型受信機１０に送信して火災警報を出力させる制御を行う。
【００７２】
また、中継制御部３６は、火災電文を受信した後に火災復旧電文を受信した場合、回線通信部４８に指示して感知器回線１６に流している発報電流を止めて火災発報信号の送信を停止する制御を行う。
【００７３】
また、中継制御部３６は、無線通信部３８を介して割当先の無線式感知器１４から障害電文を受信した場合、回線通信部４８に指示して感知器回線１６を切離して疑似的な断線状態を作り出すことで、Ｐ型受信機１０側で障害警報を出力させる制御を行う。
【００７４】
また、中継制御部３６は、無線通信部３８を介して設定装置２０からＩＤ指定無しの呼出電文を受信した場合、所定の応答制御条件により自己のＩＤを含む応答電文を送信して設定装置２０に受信用中継器１２のＩＤを登録する制御を行うが、このＩＤ登録制御の詳細は後の説明で明らかにする。
【００７５】
また、中継制御部３６は、無線通信部３８を介して設定装置２０からＩＤ指定による設定情報の読出し要求を含む電文を受信した場合、例えば割当先となる無線式感知器１４のアドレスとノードＩＤの対応関係を示すテーブル情報を読出して電文を生成し、無線通信部３８に指示して電文を設定装置２０に送信させる制御を行い、この電文を受信した設定装置２０に割当先となる無線式感知器１４のアドレスとノードＩＤの対応関係を示すテーブル情報を表示し、確認や変更、追加、削除といった編集作業を行わせる。また、受信用中継器１２の設定情報には、無線式感知器１４のアドレスとノードＩＤの対応関係を示すテーブル情報以外に、チャンネル周波数や無線式感知器１４の感度等の設定情報が含まれる。
【００７６】
また、中継制御部３６は、無線通信部３８を介して設定装置２０からＩＤ指定による設定情報の書込み要求を含む電文を受信した場合、この電文に含まれている編集済みの例えばアドレスとノードＩＤの対応関係を示すテーブル情報を取出して登録する制御を行う。
【００７７】
また、中継制御部３６は、所定のイベントを検出した場合、検出したイベントを履歴情報として登録する制御を行う。中継制御部３６で登録する履歴情報は、割当先の無線式感知器１４からの電文受信、電文受信時の電波強度、電文の処理結果のＰ型受信機１０への送信等が含まれる。
【００７８】
また、中継制御部３６は、無線通信部３８を介して設定装置２０からＩＤ指定による履歴情報の読出要求を含む電文を受信した場合、履歴情報を読み出してこれを含む電文を生成し、無線通信部３８に指示して設定装置２０に送信させる制御を行い、この電文を受信した設定装置２０に履歴情報を保存して利用可能とする。
【００７９】
［設定装置］
（設定装置の機能構成）
図４は設定装置の機能構成を示したブロック図である。図４に示すように、受信用中継器のリーダ／ライタとして機能する設定装置２０は、設定制御部６０、アンテナ６４を接続した無線通信部６２、液晶ディスプレイ６６、タッチパネル６８、表示部７０、操作部７２、サーバ等の外部装置と通信接続するＩ／Ｆ回路部７４、電源部７６、コネクタ部７８及び電源コネクタ部８０を備える。
【００８０】
設定制御部６０はＣＰＵ、メモリ、各種の入出力ポート等を備えたコンピュータ回路等とする。
【００８１】
無線通信部６２は、日本国内の場合には、例えば４００ＭＨｚ帯の特定小電力無線局の標準規格に準拠し、受信用中継器１２の無線通信部３８との間に通信接続を確立して所定の情報を含む電文を送受信する。無線通信部６２で設定装置２０との間で送受信する電文の形式は、プリアンブル、送信元ＩＤ、送信先ＩＤ、コマンド、データ及びエラーチェックコードで構成する。
【００８２】
液晶ディスプレイ６６は、受信用中継器１２のＩＤ登録の確認、設定情報の確認、設定情報の編集と書換え、履歴ログの読出し等に十分な文字や画像を含む表示を可能とする。また、タッチパネル６８付きの液晶ディスプレイ６６を使用することで、表示画面を利用した操作を可能とする。表示部７０には電源灯を含む各種の表示灯を設けている。
【００８３】
操作部７２は、操作キーを配置しており、受信用中継器１２と通信するためのチャンネル周波数の選択、受信用中継器１２のＩＤ登録、設定情報の確認、設定情報の編集による再登録、履歴ログの読出し等に必要な操作を可能とする。
【００８４】
Ｉ／Ｆ回路部７４は、コネクタ部７８を介して製造元の管理サーバ等に接続し、設定装置２０で読み出した受信用中継器１２の設定情報を管理サーバに保存してバックアップしたり、履歴ログを保存したりするためのデータ伝送を例えばイーサネット（登録商標）に従って行う。
【００８５】
電源部７６は電池電源を備えており、携帯して使用する場合は電池電源により動作し、管理サーバ等に通信接続してデータ伝送する場合は、電源コネクタ部８０にＡＣアダプタを接続して使用する。
【００８６】
設定制御部６０は、コンピュータ回路によりプログラムの実行により実現される機能であり、例えば次の制御を行う。
【００８７】
設定制御部６０は、タッチパネル６８又は操作部４８による受信用中継器１２のＩＤ登録操作の受付けを検出した場合、電波の届く範囲にある受信用中継器１２との間の無線通信による所定の制御により、分かっていない受信用中継器１２のＩＤを取得して登録する制御を行う。このＩＤ登録制御の詳細は、後の説明で明らかにする。
【００８８】
また、設定制御部６０は、タッチパネル６８又は操作部７２による設定情報の読出し操作の受付けを検出した場合、設定情報の読出要求を含む受信用中継器１２のＩＤを指定した電文を生成し、無線通信部６２に指示して受信用中継器１２に送信させ、受信用中継器１２から無線通信部６２を介して設定情報を含む電文を受信した場合、受信電文から設定情報を取り出して液晶ディスプレイ６６に表示させる制御を行う。
【００８９】
また、設定制御部６０は、受信用中継器１２から読出して液晶ディスプレイ６６に表示した設定情報の変更、追加、削除を含む編集を行った後の登録要求操作の受付けを検出した場合、登録要求と編集済みの設定情報を含む受信用中継器１２のＩＤを指定した電文を生成し、無線通信部６２に指示して受信用中継器１２に送信させる制御を行い、これを受信した受信用中継器１２に設定情報を登録させる。
【００９０】
また、設定制御部６０は、無線式感知器１４の登録スイッチの操作に伴う登録モードの設定により送信された起動電文を受信した場合、起動電文から送信元ＩＤを取り出してノードＩＤとして液晶ディスプレイ６６に表示する制御を行う。これにより設定装置２０は無線式感知器１４のノードＩＤを自動的に取得可能とする。
【００９１】
また、設定制御部６０は、タッチパネル６８又は操作部７２による履歴情報の読出し操作の受付けを検出した場合、履歴情報の読出要求を含む受信用中継器１２のＩＤを指定した電文を生成し、無線通信部６２に指示して受信用中継器１２に送信させ、受信用中継器１２から無線通信部６２を介して履歴情報を含む電文を受信した場合、受信電文から履歴情報を取り出して液晶ディスプレイ６６に表示させると共に保存する制御を行う。
【００９２】
また、設定制御部６０は、受信用中継器１２から履歴情報を読み出して保存した状態で、コネクタ部７８を介してサーバに接続可能とした状態で、タッチパネル６８又は操作部７２による履歴情報の転送操作の受付けを検出した場合、現在、保存している履歴情報を読出し、履歴情報を含む電文を生成し、Ｉ／Ｆ回路部７４に指示してサーバに送信させる制御を行い、履歴情報の転送を受けたサーバに保存して管理し、また、サーバで非火災報の原因解析等に利用可能とする。
【００９３】
［呼出電文の受信強度に対応した中継器ノードからの応答電文によるＩＤ登録］
図１に示すように、例えば１Ｆの受信用中継器１４−１の近くに設定装置２０を携帯した係員が出向き、受信用中継器１２−１〜１２−３のＩＤが分かっていない状態で、設定装置２０により受信用中継器１２−１〜１２−３に登録している例えば無線式感知器１４のアドレスとノードＩＤの対応関係を示すテーブル情報を読出表示して確認するため、まず分かっていない受信用中継器１２−１〜１２−３のＩＤを取得して登録する処理を行う。
【００９４】
この設定装置２０による受信用中継器１２のＩＤ登録処理として、本実施形態にあっては、設定装置２０から呼出電文の受信強度に対応した受信用中継器１２からの応答電文によるＩＤ登録を行う。
【００９５】
（設定装置と受信用中継器の制御機能）
図３に示した設定装置２０の設定制御部６０は、タッチパネル６８又は操作部７２による受信用中継器２０のＩＤ登録操作の受付けを検出した場合、所定の初期値から段階的に減少する所定の応答受信強度Ｅｔｈを設定したＩＤ指定なしの呼出電文を受信用中継器１２へ順次送信し、この呼出電文に対する受信用中継器１２から応答電文を受信した場合に、この応答電文に含まれる送信元ＩＤを受信用中継器１２のＩＤとして取得してメモリに登録すると共に、登録したＩＤを指定したスリープ要求電文を受信用中継器１２に送信し、電波の届く範囲にある受信用中継器１２のＩＤ登録を終了した場合に復旧電文を中継器ノードに送信する制御を行う。
【００９６】
また、図２に示した受信用中継器１２の中継制御部３６は、設定装置２０からＩＤ指定なしの呼出電文を受信した場合の受信強度検出部４５で検出した受信強度Ｅが呼出電文で指定した応答受信強度Ｅｔｈ以上の場合に自己のＩＤを含む応答電文を設定装置２０に送信し、応答電文の送信後に設定装置２０からスリープ要求電文を受信した場合に電文送信動作を休止し、電文送信動作の休止中に設定装置２０から復旧電文を受信した場合に休止を解除する制御を行う。
【００９７】
（設定装置による受信用中継器のＩＤ登録動作）
図５は設定装置から応答受信強度を設定したＩＤ指定なし呼出電文により受信用中継器のＩＤを取得して登録する動作を示したタイムチャートであり、図１、図３及び図４と共に説明すると次のようになる。
【００９８】
図１に示したように、例えば、１Ｆの受信用中継器１２−１の近くに設定装置２０を携帯した係員が出向き、設定装置２０のタッチパネル６８又は操作部７２により受信用中継器１２のＩＤ登録操作を行うと、図５のステップＳ１（以下「ステップ」は省略）に示すように、設定装置２０の設定制御部６０は、所定の応答受信強度Ｅｔｈを設定したＩＤ指定なし（送信先ＩＤを空きとする）の呼出電文を生成し、無線通信部６２に指示して送信する。
【００９９】
設定装置２０が送信した呼出電文は、その電波が届く例えば１Ｆの受信用中継器１２−１及び２Ｆの受信用中継器１２−２でＳ２，Ｓ５のように受信され、受信強度検出部４５によりそれぞれの無線通信部３８での受信強度Ｅ１，Ｅ２を検出する。この場合、設定装置２０からの距離は受信用中継器１２−１が近く、受信用中継器１２−２が遠いことから、受信強度はＥ１＞Ｅ２の関係にある。
【０１００】
受信用中継器１２−１の中継制御部３６は、Ｓ３において、受信した呼出電文に含まれている応答受信強度Ｅｔｈと受信強度検出部４５で検出した受信強度Ｅ１と比較し、受信強度Ｅ１が応答受信強度Ｅｔｈ以上であることからＳ４に進み、自己のＩＤを送信元ＩＤに設定した応答電文を設定装置２０に送信する。
【０１０１】
一方、受信用中継器１２−２の中継制御部３６は、Ｓ６で受信した呼出電文に含まれている応答受信強度Ｅｔｈと受信強度検出部４５で検出した受信強度Ｅ１と比較し、受信強度Ｅ１が応答受信強度Ｅｔｈ未満であることから、自己のＩＤを送信元ＩＤに設定した応答電文の送信は行わない。
【０１０２】
設定装置２０の設定制御部６０は、Ｓ７で受信用中継器１２−１からの応答電文を受信し、その送信元ＩＤを受信用中継器１２−１のＩＤとして取り出してメモリに登録すると共に、液晶ディスプレイ６６に登録ＩＤを表示する。
【０１０３】
続いて設定装置２０の設定制御部６０は、Ｓ８において、メモリに登録したＩＤを送信先ＩＤに設定したスリープ要求電文を生成し、無線通信部６２に指示して送信する。設定装置２０からのスリープ要求電文は、Ｓ９で受信用中継器１２−１による送信先ＩＤと自己ＩＤとの一致により有効に受信され、中継制御部３６はスリープ要求電文に基づき、無線通信部３８による電文送信動作を休止する。
【０１０４】
続いて、設定装置２０の設定制御部６０はＳ１０で応答受信強度Ｅｔｈを所定値ΔＥだけ少ないＥｔｈ＝Ｅｔｈ−ΔＥに変更し、Ｓ１１で変更（減少）した応答受信強度Ｅｔｈを設定したＩＤ指定なしの呼出電文を送信する。
【０１０５】
設定装置２０が２回目に送信した呼出電文は、その電波が届く例えば１Ｆの受信用中継器１２−１及び２Ｆの受信用中継器１２−２でＳ１２，Ｓ１４のように受信されるが、受信用中継器１２−１はＳ１３のようにスリープ動作により電文送信機能を停止しているため、応答電文の送信は行わない。
【０１０６】
これに対し受信用中継器１２−２は、Ｓ１５で受信強度検出部４５で検出した受信強度Ｅ２が設定装置２０からの呼出電文に含まれる減少した応答受信強度Ｅｔｈ以上となることを判別し、Ｓ１６に進んで自己のＩＤを送信元ＩＤに設定した応答電文を設定装置２０に送信する。
【０１０７】
設定装置２０の設定制御部６０は、Ｓ１７で受信用中継器１２−２からの応答電文を受信し、その送信元ＩＤを受信用中継器１２−２のＩＤとして取り出してメモリに登録すると共に、液晶ディスプレイ６６に登録ＩＤを表示する。
【０１０８】
続いて設定装置２０の設定制御部６０は、Ｓ１８でメモリに今回登録したＩＤを送信先ＩＤに設定したスリープ要求電文を生成し、無線通信部６２に指示して送信する。設定装置２０からのスリープ要求電文は、Ｓ１９で受信用中継器１２−２により送信先ＩＤと自己ＩＤ２との一致により有効に受信され、中継制御部３６はスリープ要求電文に基づき、無線通信部３８による電文送信動作を休止する。
【０１０９】
続いて、設定装置２０の設定制御部６０はＳ２０で現在の応答受信強度Ｅｔｈを所定値ΔＥだけ少ないＥｔｈ＝Ｅｔｈ−ΔＥに変更し、Ｓ２１で変更（減少）した応答受信強度Ｅｔｈを設定したＩＤ指定なしの呼出電文を送信する。
【０１１０】
設定装置２０が３回目に送信した呼出電文が届く受信用中継器が存在しなかった場合、設定装置２０の液晶ディスプレイ６６に対するそれ以上の登録ＩＤの表示が停止し、これにより係員は、設定装置２０からの電波の届く位置にある受信用中継器１２の全のＩＤ登録が終了したと判断し、タッチパネル６８又は操作部７２により登録終了操作を行う。
【０１１１】
設定装置２０の設定制御部６０は、Ｓ２２で登録終了操作を判別するとＳ２３で受信用中継器１２−１，１２−２の登録済ＩＤを送信元ＩＤ１に設定した復旧電文を順次送信する。設定装置２０からの復旧電文はＳ２４，Ｓ２５のように受信用中継器１２−１，１２−２で有効に受信され、それぞれの中継制御部３６はスリープ動作を解除して休止している電文送信動作を可能とし、ＩＤ登録を行う前の通常状態に戻す。
【０１１２】
このようにして設定装置２０により受信用中継器１２−１，１２−２のＩＤを取得して登録したならば、受信用中継器１２−１，１２−２のＩＤを指定した読出し命令や書込み命令を含む電文の送信により、受信用中継器１２−１，１２−２からの必要なデータの読出しや書込みを行うことが可能となる。
【０１１３】
なお、応答受信強度Ｅｔｈを所定値ΔＥずつ減少させながら呼出電文を送信した場合、複数の受信用中継器１２で受信強度Ｅが応答受信強度Ｅｔｈ以上になると、応答電文の送信タイミングが重なって設定装置２０で受信不能となる衝突（コリジョン）を起こすが、図１に示したように、受信用中継器１２−１〜１２−３は例えば階別のように、それぞれの通信距離が相違しており、応答受信強度Ｅｔｈを段階的に減少されるΔＥの値を適切に設定することで、例えばΔＥの値を小さい値に設定することで、複数の受信用中継器１２で受信強度Ｅが応答受信強度Ｅｔｈ以上になって起きる応答電文の衝突を確実に回避することができる。
【０１１４】
また、複数の受信用中継器１２で受信強度Ｅが応答受信強度Ｅｔｈ以上になって応答電文の衝突が発生した場合には、係員は場所を変えて設定装置２０から呼出電文を送信することで、応答電文の衝突を回避することも可能である。
【０１１５】
（設定装置による受信用中継器のＩＤ登録動作のメリット）
このような図５に示した設定装置２０による受信用中継器１２のＩＤ登録動作によれば、設定装置２０からの電波が届く範囲にある受信用中継器１２は、ＩＤ指定のない呼出電文を受信した場合、その受信強度Ｅが呼出電文で指定した応答受信強度Ｅｔｈ以上の場合にのみ応答電文を送信し、設定装置２０からの複数の受信用中継器１２の設置場所までの距離は各々異なることから、呼出電文で指定する応答受信強度Ｅｔｈを段階的に減少させることで、距離の近い受信用中継器１２から順番に応答電文を送信することとなり、複数の受信用中継器１２の送信タイミングが重ならず、受信用中継器単位に受信した応答電文からＩＤを取得して登録することができる。
【０１１６】
また、設定装置２０は応答電文を送信した受信用中継器１２に対してはＩＤを指定したスリープ要求電文を送信してその後の呼出電文に対する送信動作を休止させることで、応答受信高度を段階的に減少させても、複数の受信用中継器１２から不必要に応答電文が送信されることを回避し、距離の近い受信用中継器１２から順番に応答電文を送信することを可能とする。
【０１１７】
更に、設定装置２０からの電波の届く範囲ある全ての受信用中継器１２のＩＤ登録が終了した場合に復旧電文を送信することで、スリープ要求電文の受信による送信動作の休止を解除して通常の運用状態に戻すことを可能とする。
【０１１８】
［受信用中継器のＩＤに応じたチャンネル周波数による電文応答によるＩＤ登録］
設定装置２０による受信用中継器１２のＩＤ登録処理の他の実施形態として、設定装置２０からの呼出電文に対し、受信用中継器１２のＩＤに応じたチャンネル周波数による応答電文の送信により設定装置２０でＩＤ登録を行う。
【０１１９】
本実施形態における受信用中継器１２の構成は、図３の受信強度検出部４５を除いたと同じ構成であり、また、設定装置２０は図４と同じ構成であり、それぞれの無線通信部３８，３６として所定周波数範囲でチャンネル周波数を切り替え可能とする機能を追加している。
【０１２０】
（設定装置と受信用中継器の制御機能）
図４に示した設定装置２０の設定制御部６０は、タッチパネル６８又は操作部７２による受信用中継器２０のＩＤ登録操作の受付けを検出した場合、初期設定したチャンネル周波数によりＩＤ指定なしの呼出電文を受信用中継器１２に送信し、チャンネル周波数を所定の周波数範囲で変化させる周波数スイープにより呼出電文に対する受信用中継器１２からの応答電文を受信した場合に、当該応答電文に含まれる受信用中継器１２の送信元ＩＤを受信用中継器１２のＩＤとして取得して登録し、電波の届く範囲にある全ての受信用中継器１２のＩＤ登録を終了した場合にチャンネル周波数の周波数スイープにより復旧電文を送信する制御を行う。
【０１２１】
また、図２に示した受信用中継器１２の中継制御部３６は、初期設定したチャンネル周波数により設定装置２０からの呼出電文を受信した場合に、自己のＩＤに対応する所定の応答チャンネル周波数により自己のＩＤを含む応答電文を設定装置２０に送信し、応答チャンネル周波数による復旧電文を受信した場合にチャンネル周波数を初期設定に戻す制御を行う。
【０１２２】
図６は受信用中継器のＩＤとチャンネル周波数の対応関係を一覧で示した説明図である。図６に示すように、この例では、受信用中継器１２のＩＤにおける下位３ビットのｂ３ｂ２ｂ１による２進値０００〜１１１に対応してチャンネル周波数Ａ〜Ｈを設定しており、その中から自己のＩＤに対応したチャンネル周波数に切り替えて応答電文を設定装置２０に送信する。
【０１２３】
なお、チャンネル周波数の選択に使用するＩＤのビット数は、選択可能なチャンネル数４８以内となるように必要に応じて適宜に定めることができ、応答電文の衝突を回避する確率を高めるためには、最大で下位５ビットを使用して３２チャンネルの選択を可能とすれば良い。
【０１２４】
このため図３に示した受信用中継器１２の無線通信部３８は、中継制御部３６の指示に基づき送受信に使用するチャンネル周波数を切り替える機能を備える。また、図４に示した設定装置２０の無線通信部６２も設定制御部６０の指示により送受信に使用するチャンネル周波数を受信用中継器１２のチャンネル周波数Ａ〜Ｈの範囲で連続的に切替える周波数スイープの動作機能を備える。
【０１２５】
（設定装置による受信用中継器のＩＤ登録動作）
図７は設定装置からＩＤ指定なし呼出電文により受信用中継器のＩＤに対応したチャンネル周波数による応答電文からＩＤを取得して登録する動作を示したタイムチャートであり、図１、図３及び図４と共に説明すると次のようになる。
【０１２６】
図１に示したように、例えば、１Ｆの受信用中継器１４−１の近くに設定装置２０を携帯した係員が出向き、設定装置２０のタッチパネル６８又は操作部７２により受信用中継器１２のＩＤ登録操作を行うと、図７のＳ１０１に示すように、設定装置２０の設定制御部６０は、初期設定しているチャンネル周波数によりＩＤ指定なし（送信先ＩＤを空き）の呼出電文を生成し、無線通信部６２に指示して送信する。
【０１２７】
設定装置２０が送信した呼出電文は、その電波が届く例えば１Ｆの受信用中継器１２−１及び２Ｆの受信用中継器１２−２でＳ１０２，Ｓ１０４のように受信される。呼出電文を受信した受信用中継器１２−１の中継制御部３６は、Ｓ１０３において、図６に示した対応関係から自己のＩＤの下位３ビットとなる例えば「００１」に対応したチャンネル周波数Ｂを選択して無線通信部３８に設定し、自己のＩＤを送信元ＩＤに設定した応答電文をチャンネル周波数Ｂを使用して設定装置２０に送信する。
【０１２８】
一方、呼出電文を受信した受信用中継器１２−２の中継制御部３６は、Ｓ１０５において、図６に示した対応関係から自己のＩＤ１の下位３ビットとなる例えば「１０１」に対応したチャンネル周波数Ｆを選択して無線通信部３８に設定し、自己のＩＤを送信元ＩＤに設定した応答電文をチャンネル周波数Ｆを使用して設定装置２０に送信する。
【０１２９】
設定装置２０の設定制御部６０は、Ｓ１０６で受信用中継器１２から応答電文を送信してくるチャンネル周波数Ａ〜Ｈの周波数範囲で周波数チャンネルを順番に切り替えて受信するチャンネル周波数のスイープ動作を繰り返しており、Ｓ１０７で切り替えたチャンネル周波数Ｂ又はＦでの応答電文の受信を判別するとＳ１０８に進み、受信した応答電文の送信元ＩＤを受信用中継器１２−１，１２−２のＩＤとして取り出してメモリに登録すると共に、液晶ディスプレイ６６に受信用中継器１２−１，１２−２の登録ＩＤを表示する。
【０１３０】
設定装置２０からの呼出電文が届く全ての受信用中継器１２−１，１２−２のＩＤ登録が終了すると、設定装置２０の液晶ディスプレイ６６に対するそれ以上の登録ＩＤの表示が停止し、これにより係員は、設定装置２０からの電波の届く位置にある受信用中継器１２の全てのＩＤ登録が終了したと判断し、タッチパネル６８又は操作部７２により登録終了操作を行う。
【０１３１】
設定装置２０の設定制御部６０は、Ｓ１０９で登録終了操作を判別するとＳ１１０で応答電文の通信に使用したチャンネル周波数Ｂ，Ｆを順次使用して復旧電文を送信する。設定装置２０からの復旧電文はＳ１１１，Ｓ１１２のように受信用中継器１２−１，１２−２で有効に受信され、それぞれの中継制御部３６はチャンネル周波数Ｂ，Ｆを初期設定に戻す。
【０１３２】
このようにして設定装置２０により受信用中継器１２−１，１２−２のＩＤを取得して登録したならば、受信用中継器１２−１，１２−２のＩＤを指定した読出し命令や書込み命令を含む電文の送信により、受信用中継器１２−１，１２−２から必要なデータの読出しや書込みを行うことが可能となる。
【０１３３】
なお、設定装置２０からの電波の届く範囲にある複数の受信用中継器１２に設定しているＩＤの下位３ビットが一致した場合、同じチャンネル周波数の選択により応答電文の通信衝突を起こすことになるが、応答電文の通信衝突を設定装置２０で検出した場合、例えば受信用中継器１２のチャンネル周波数を選択するための３ビットを、更に上位の３ビットにシフトする命令を含む呼出電文を送信することで、応答電文の送信に使用するチャンネル周波数が異なるように制御でき、応答電文の衝突を確実に回避可能とする。
【０１３４】
（設定装置による受信用中継器のＩＤ登録動作のメリット）
このような図７に示した設定装置２０による受信用中継器１２のＩＤ登録動作によれば、設定装置２０からの電波が届く範囲にある受信用中継器１２は、ＩＤ指定のない呼出電文を受信した場合、自己のＩＤに対応した相互に異なるチャンネル周波数を使用して応答電文を送信し、設定装置２０はチャンネル周波数を順次切り替える周波数スイープにより異なる受信用中継器１２からの応答電文を個別に受信し、複数の受信用中継器１２の送信タイミングが重なってもチャンネル周波数が異なることで、受信用中継器単位に受信した応答電文からＩＤを取得して登録することができる。
【０１３５】
また、設定装置２０からの電波の届く範囲ある全ての受信用中継器１２のＩＤ登録が終了した場合に復旧電文を送信することで、チャンネル周波数を初期設定に戻して通常の運用状態に戻すことを可能とする。
【０１３６】
［本発明の変形例］
（中継器ノード）
上記の実施形態は、設定装置により中継器ノードとして機能する受信用中継器のＩＤを取得して登録する場合を例にとっているが、本発明はこれに限定されず、無線通信機能備えた適宜の機器のＩＤを設定装置により取得して登録する場合を含む。
【０１３７】
（Ｒ型受信機）
上記の実施形態は、火災受信機としてＰ型受信機からの感知器回線に受信用中継器を接続しているが、データ伝送機能を持つＲ型受信機に受信用中継器を接続するようにしてもよい。
【０１３８】
（設定装置）
上記の実施形態は、専用の設定装置を使用して受信用中継器にアクセスして読み書きする場合を例にとっているが、受信用中継器との通信機能を備えたタブレット端末等の適宜の携帯端末機器を利用するようにしても良い。
【０１３９】
（その他）
また本発明はその目的と利点を損なうことのない適宜の変形を含み、更に上記の実施形態に示した数値による限定は受けない。
【符号の説明】
【０１４０】
１０：Ｐ型受信機
１２−１〜１２−３：受信用中継器
１４−１〜１４−３：無線式感知器
１６：感知器回線
２０：設定装置
２２：感知器制御部
２４，３８，６２：無線通信部
２８：センサ部
３０，４６，７０：表示部
３２，４４，７２：操作部
３６：中継制御部
４０：アンテナ
４２：アンテナ端子
４５：受信強度検出部
４８：回線通信部
６０：設定制御部
６６：液晶ディスプレイ
６８：タッチパネル
【図１】
2020129405.tif 000003
【図２】
2020129405.tif 000004
【図３】
2020129405.tif 000005
【図４】
2020129405.tif 000006
【図５】
2020129405.tif 000007
【図６】
2020129405.tif 000008
【図７】
2020129405.tif 000009